(57)【要約】【課題】表示体の取り扱い性を向上させることを可能としつつ、高度な情報処理能力を付与する。【解決手段】メディアモードで処理を行う場合、接続部１０、２８を互いに接続することにより、記憶性表示パネル２に表示される情報の処理をホスト表示処理装置２１側で行わせ、スタンドアロンモードで処理を行う場合、接続部１０、２８を互いに切り離すことにより、記憶性表示パネル２に表示される情報の処理を情報表示シート１自体が行う。【選択図】図１
2008293015.tif 000002
【特許請求の範囲】
【請求項１】
情報を表示する表示体と、
前記表示体に表示される情報の処理を自律的に行う自律処理手段と、
前記表示体に表示される情報の処理にかかる処理要求が前記自律処理手段で自律処理不能の場合、前記表示体に表示される情報の処理を他律的な処理に委ねるための処理要求を抽出可能に記憶する情報記憶手段を有する他律処理手段とを備えることを特徴とする情報表示装置。
【請求項２】
前記表示体と一体的に形成され、前記自律処理手段および前記他律処理手段が設けられた表示体を脱着自在に接続するとともに、前記情報記憶手段から前記情報の処理を他律的な処理に委ねるための処理要求を外部に転送する接続部を備えることを特徴とする請求項１記載の情報表示装置。
【請求項３】
前記自律処理手段にかかる負荷に基づいて、前記自律処理手段に対して行われた処理要求を記憶する処理要求記憶手段を備えることを特徴とする請求項１〜２のいずれか１項記載の情報表示装置。
【請求項４】
前記表示体はシート状であることを特徴とする請求項１〜３のいずれか１項記載の情報表示装置。
【請求項５】
前記表示体は記憶性表示パネルであることを特徴とする請求項１〜４のいずれか１項記載の情報表示装置。
【請求項６】
情報の表示を行う表示体と、表示情報の処理を自律的に行う自律処理手段と、自律処理が不能の場合に他律的な処理に委ねるための処理要求を記憶する他律処理手段とを有する情報表示シートと、
前記処理要求を実行するホスト表示処理装置と、
前記情報表示シートと前記ホスト表示処理装置とを脱着自在に接続し互いに通信可能な接続部とを備えることを特徴とする情報表示システム。
【請求項７】
前記表示シートは、自律的に処理不能な処理要求が発生した時に、前記ホスト表示処理装置との接続を促す表示を行うことを特徴とする請求項６記載の情報表示システム。
【請求項８】
前記情報表示シートには二次電池が設けられ、前記接続部を介して前記二次電池を充電させることを特徴とする請求項６〜７のいずれか１項記載の情報表示システム。
【請求項９】
前記接続部は、複数の情報表示シートを接続可能であることを特徴とする請求項６〜８のいずれか１項記載の情報表示システム。
【請求項１０】
前記接続部は、種類の異なる情報表示シートを接続可能であることを特徴とする請求項９記載の情報表示システム。
【発明の詳細な説明】
【技術分野】
【０００１】
本発明は情報表示装置および情報表示システムに関し、特に、電子ペーパーなどの情報表示シートに適用して好適なものである。
【背景技術】
【０００２】
紙への情報の印刷（いわゆるハードコピー）に関しては、既に長きに亘って利用され、改良が重ねられていることから、優れた印刷技術が確立されている。ところが、ハードコピーされた情報は紙に固着された状態となり、情報の書き換え、消去あるいは電子情報としての利用が困難である。
一方、ディスプレイへの情報の表示（いわゆるソフトコピー）に関しても、表示体の薄型化が進み、その表示能力の面においても高精細度および高コントラストが実現されている。特に最近では、新しい表示原理に基づき、反射方式などによる自然な表示を無電力で保持できる「電子ペーパー」と呼ばれる軽薄な表示媒体が開発され、ハードコピーに近い表示品質が得られている。
【０００３】
例えば、特許文献１には、フレキシブル基板上に電気泳動分散液による表示領域を形成することにより、外出先においても印刷でき、持ち運びにも便利な電子ペーパーを実現する方法が開示されている。
【特許文献１】特開２００２−１６９１９０号公報
【発明の開示】
【発明が解決しようとする課題】
【０００４】
しかしながら、このような電子ペーパーを表示媒体として備えても、紙のような手軽な扱いを容易に実現するに至らない。すなわち、軽薄なハンドリング性を重視すると、電子ペーパーに高性能な処理能力を受け持たせることができなくなる。このため、現在のように高度な情報処理を前提とした文書データに対し、多様な処理を行わせることができなくなる。
【０００５】
一方、高度で多様な処理能力を電子ペーパーに持たせると、高性能な処理部やこれに見合った電力を供給できる電源が必要となる。このため、電子ペーパーの軽薄化の妨げになるだけでなく、紙のように多数の頁を同時に参照するような使い方ができなくなるという問題があった。
そこで、本発明の目的は、表示体の取り扱い性を向上させることを可能としつつ、高度な情報処理能力を付与することが可能な情報表示装置および情報表示システムを提供することである。
【課題を解決するための手段】
【０００６】
上述した課題を解決するために、本発明の一態様に係る情報表示装置によれば、情報を表示する表示体と、前記表示体に表示される情報の処理を自律的に行う自律処理手段と、前記表示体に表示される情報の処理にかかる負荷に基づいて、前記表示体に表示される情報の処理を他律的に行わせる他律処理手段とを備えることを特徴とする。
これにより、情報表示装置自体に高性能な処理部を設けることなく、表示体に情報を表示させることが可能となるとともに、必要に応じて高度な情報処理を外部に行わせることが可能となる。このため、情報表示装置の軽薄化を可能としつつ、高度な情報処理を前提とした文書データの多様な処理にも対応することが可能となり、情報表示装置の取り扱い性を向上させることを可能としつつ、高度な情報処理能力を情報表示装置に付与することができる。
【０００７】
また、本発明の一態様に係る情報表示装置によれば、前記表示体と一体的に形成され、前記自律処理手段および前記他律処理手段が設けられた表示体を脱着自在に接続するとともに、情報処理を他律的に行わせるための処理要求を外部に転送する接続部をさらに備えることを特徴とする。
これにより、情報表示装置単体で表示を行わせることが可能となるとともに、必要に応じて高度な情報処理を外部に行わせることが可能となり、情報表示装置の持ち運びなどの利便性を維持しつつ、高度な情報処理を前提とした文書データの多様な処理にも対応させることができる。
【０００８】
また、本発明の一態様に係る情報表示装置によれば、他律的に処理が行われる情報を記憶する情報記憶手段をさらに備えることを特徴とする。
これにより、情報表示装置単体で動作させた場合においても、他律的に処理が行われた情報が消失することを防止することができ、情報表示装置単体で実行不能な処理を外部に容易に行わせることができる。
【０００９】
また、本発明の一態様に係る情報表示装置によれば、前記自律処理手段にかかる負荷に基づいて、前記自律処理手段に対して行われた処理要求を記憶する処理要求記憶手段をさらに備えることを特徴とする。
これにより、情報表示装置単体で動作させた際に、情報表示装置単体で実行不能な処理を要求する操作が行われた場合においても、その操作に対応した処理を外部に容易に行わせることができる。
【００１０】
また、本発明の一態様に係る情報表示装置によれば、前記表示体はシート状であることを特徴とする。
これにより、情報表示装置にフレキシビリティーを持たせつつ、情報表示装置を重ねて取り扱うことが可能となる。このため、紙のようなハンドリング性を情報表示装置に持たせつつ、紙では実現不能な情報処理を情報表示装置に行わせることが可能となる。
【００１１】
また、本発明の一態様に係る情報表示装置によれば、前記表示体は記憶性表示パネルであることを特徴とする。
これにより、電力を与えることなく、表示体に表示された情報をそのまま保持させることが可能となる。このため、情報表示装置の消費電力を低減することが可能となり、情報表示装置に設けられるバッテリの低容量化を可能として、情報表示装置の軽薄化を図ることができる。
【００１２】
また、本発明の一態様に係る情報表示システムによれば、自律的に処理した情報の表示を行う情報表示シートと、前記情報表示シートに表示される情報の処理を行うホスト表示処理装置と、前記情報表示シートを前記ホスト表示処理装置に脱着自在に接続する接続部とを備えることを特徴とする。
これにより、情報表示シート自体に高性能な処理部を設けることなく、情報表示シート単体で表示を行わせることが可能となるとともに、必要に応じて高度な情報処理をホスト表示処理装置に行わせることが可能となる。このため、情報表示シートの軽薄化を可能としつつ、高度な情報処理を前提とした文書データの多様な処理にも対応させることが可能となり、情報表示シートの取り扱い性を向上させることを可能としつつ、高度な情報処理能力を情報表示シートに付与することができる。
【００１３】
また、本発明の一態様に係る情報表示システムによれば、前記ホスト表示処理装置の情報処理能力は、前記情報表示シートの情報処理能力よりも高いことを特徴とする。
これにより、情報表示シート自体に高性能な処理部を設ける必要がなくなるとともに、
高度な情報処理を前提とした文書データの多様な処理にも対応させることが可能となり、情報表示シートの軽薄化を図りつつ、高度な情報処理能力を情報表示シートに付与することができる。
【００１４】
また、本発明の一態様に係る情報表示システムによれば、前記情報表示シートは、自律的に処理不能な処理要求が発生した時に、その処理要求を自分で保持することを特徴とする。
これにより、情報表示シートを単体で動作させた際に、情報表示シート単体で実行不能な処理を要求する操作が行われた場合においても、情報表示シートがホスト表示処理装置に接続された時のタイミングに合わせて、情報表示シートで行われた操作に対応した処理をホスト表示処理装置に行わせることができる。このため、情報表示シート単体で実行不能な処理をホスト表示処理装置に行わせるために、情報表示シートがホスト表示処理装置に常時接続されたままにする必要がなくなり、情報表示シートの持ち運びなどの利便性を維持しつつ、高度な情報処理を前提とした文書データの多様な処理にも対応させることができる。
【００１５】
また、本発明の一態様に係る情報表示システムによれば、前記情報表示シートは、自律的に処理不能な処理要求が発生した時に、前記ホスト表示処理装置に処理を要求することを特徴とする。
これにより、情報表示シート自体に高性能な処理部を設けることなく、高度な情報処理を前提とした文書データの多様な処理にも対応させることが可能となり、情報表示シートの軽薄化を図りつつ、高度な情報処理能力を情報表示シートに付与することができる。
【００１６】
また、本発明の一態様に係る情報表示システムによれば、自律的に処理不能な処理要求が発生した時に、前記ホスト表示処理装置との接続を促す表示を行うことを特徴とする。
これにより、処理不能な処理要求が発生したことをユーザに知らせることができ、情報表示シートをホスト表示処理装置にいつ接続したらよいかをユーザに容易に認識させることができる。
【００１７】
また、本発明の一態様に係る情報表示システムによれば、前記情報表示シートには二次電池が設けられ、前記接続部を介して前記二次電池を充電させることを特徴とする。
これにより、ホスト表示処理装置に情報処理を行わせることを可能としつつ、情報表示シートに設けられた二次電池の充電も行わせることが可能となり、二次電池の充電にかかる手間を軽減することができる。
【００１８】
また、本発明の一態様に係る情報表示システムによれば、前記接続部は、複数の情報表示シートを接続可能であることを特徴とする。
これにより、情報表示シートを重ねて取り扱うことが可能となり、情報表示シートをめくりながら情報表示シートに表示された内容を見ることが可能となるとともに、紙では実現不能な情報処理を情報表示シートに行わせることが可能となる。
【００１９】
また、本発明の一態様に係る情報表示システムによれば、前記接続部は、種類の異なる情報表示シートを接続可能であることを特徴とする。
これにより、様々の機能を分散させて情報表示シートに持たせることが可能となり、情報表示シートのスペースが限られている場合においても、高度な情報処理や操作性を実現させることができる。
【００２０】
また、本発明の一態様に係る情報表示システムによれば、前記情報表示シートは前記接続部を介して互いに通信可能であることを特徴とする。
これにより、情報表示シート間で連携して動作を行わせることが可能となり、各情報表
示シートの内容を共有化させたり、情報表示シート間で情報を容易に移動させたりすることができる。
【００２１】
また、本発明の一態様に係る情報表示システムによれば、前記情報表示シートは、前記ホスト表示処理装置との接続を検知する接続検知手段を備え、前記ホスト表示処理装置との接続が検知された時に、前記情報表示シート側で行われる情報処理を前記ホスト表示処理装置側に切り替えて行わせることを特徴とする。
これにより、情報表示シートをホスト表示処理装置に接続することで、情報表示シート側で行われる情報処理をホスト表示処理装置で行わせることが可能となり、情報表示シートの表示動作の高速化を図ることが可能となる。
【発明を実施するための最良の形態】
【００２２】
以下、本発明の実施形態に係る情報表示システムについて図面を参照しながら説明する。
図１は、本発明の第１実施形態に係る情報表示システムの外観構成を示す斜視図、図２は、図１の情報表示システムの概略構成を示すブロック図である。
図１において、情報表示システムには、自律的に処理した情報の表示を行う情報表示シート１と、情報表示シート１に表示される情報の処理を行うホスト表示処理装置２１と、情報表示シート１をホスト表示処理装置２１に脱着自在に接続する接続部１０、２８が設けられている。
【００２３】
ここで、情報表示シート１には、記憶性表示パネル２、操作部３、データ記憶部４、バッテリ５、低容量ＲＯＭ／ＲＡＭ６、表示駆動部７、低速ＣＰＵ８および接続制御部９が設けられている。そして、データ記憶部４、バッテリ５、低容量ＲＯＭ／ＲＡＭ６、表示駆動部７および低速ＣＰＵ８は信号バスＢ１を介して接続制御部９に接続されるとともに、データ記憶部４、バッテリ５、低容量ＲＯＭ／ＲＡＭ６、表示駆動部７および低速ＣＰＵ８は電源ラインＬ１を介して接続制御部９に接続されている。
【００２４】
また、ホスト表示処理装置２１には、データインターフェース２２、高速ＣＰＵ２３、プログラム記憶部２４、グラフィックアクセラレータ２５、バッテリ２６、接続制御部２７およびＲＡＭ２９が設けられている。そして、データインターフェース２２、高速ＣＰＵ２３、プログラム記憶部２４、グラフィックアクセラレータ２５、バッテリ２６およびＲＡＭ２９は、信号バスＢ２を介して接続制御部２７に接続されるとともに、データインターフェース２２、高速ＣＰＵ２３、プログラム記憶部２４、グラフィックアクセラレータ２５、バッテリ２６およびＲＡＭ２９は、電源ラインＬ２を介して接続制御部２７に接続されている。
【００２５】
ここで、記憶性表示パネル２は、例えば、Ａ４サイズの高画素密度（多ピクセル）である表示体によって構成することができ、表示駆動部７の制御に応じて、所定画素に画素データを表示することができる。ここで、記憶性表示パネル２は、電源を切断しても表示画面を維持することができ、表示画面の状態を維持するためには電力が不要となることから、情報表示シート１の低消費電力化を図ることができる。
【００２６】
なお、表示パネルとして、例えば、電気泳動ディスプレイ、コレステリック液晶ディスプレイ、帯電トナーを利用したディスプレイ、ツイストボールを利用したディスプレイあるいはエレクトロデポジションディスプレイ等を採用することができ、記憶性表示パネル２の代わりに非記憶性表示パネルを用いてもよい。
操作部３は、情報表示シート１への各種指示を行うもので、例えば、タッチパネルなどから構成することができる。
【００２７】
データ記憶部４は、フラッシュメモリ等の不揮発性メモリによって構成することができ、例えば、データ記憶部４には、ＸＭＬ（ｅＸｔｅｎｓｉｂｌｅ  Ｍａｒｋｕｐ  Ｌａｎｇｕａｇｅ）などの文書形式で記述された文書データ４ａを記憶することができる。
バッテリ５は、一次電池あるいは二次電池によって構成され、情報表示シート１の各部に電力を供給することができる。
【００２８】
低容量ＲＯＭ／ＲＡＭ６は、ＲＯＭおよびＲＡＭを備え、ホスト表示処理装置２１に設けられているプログラム記憶部２４およびＲＡＭ２９の容量よりも小さくすることができる。ここで、低容量ＲＯＭ／ＲＡＭ６に設けられるＲＡＭとしては、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＦｅＲＡＭ／ＦＲＡＭ（Ｆｅｒｒｏｅｌｅｃｔｒｉｃ  Ｒａｎｄｏｍ  Ａｃｃｅｓｓ  Ｍｅｍｏｒｙ）、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）等のメモリによって構成することができる。そして、低容量ＲＯＭ／ＲＡＭ６は、情報表示シート１を制御するための各種プログラムを記憶したり、低速ＣＰＵ８が処理を実行する際のワークエリアを形成したり、その処理結果を記憶したりすることができる。また、低容量ＲＯＭ／ＲＡＭ６は、低速ＣＰＵ８が自律的に処理不能な処理要求が発生した場合、その処理要求６ｂを記憶することができる。また、ホスト表示処理装置２１側で行われた処理の処理経過６ａを記憶することができる。なお、低容量ＲＯＭ／ＲＡＭ６に設けられるＲＡＭとしては、低消費電力でデータを保持可能なＳＲＡＭ等が望ましく、不揮発性のＦｅＲＡＭ／ＦＲＡＭやＭＲＡＭ等がより望ましい。
【００２９】
表示駆動部７は、記憶性表示パネル２を直接制御し、データ記憶部４に記憶されている文書データ４ａや低速ＣＰＵ８から入力された情報処理結果などを記憶性表示パネル２に表示させることができる。また、接続部１０、２８を介してグラフィックアクセラレータ２５から送られた描画データや、高速ＣＰＵ２３から送られた情報処理結果などを記憶性表示パネル２に表示させることができる。具体的には、表示駆動部７は、グラフィックアクセラレータ２５によって図形データが入力される描画データ書込部７ａを備えている。そして、表示駆動部７は、描画データ書込部７ａに入力された描画データを参照しながら、記憶性表示パネル２のＸドライバおよびＹドライバを駆動することにより、描画対象であるラスタ図形を記憶性表示パネル２に表示させることができる。
【００３０】
なお、記憶性表示パネル２を駆動する方式として、例えば、パッシブマトリクス駆動方式、ＴＦＴ（Ｔｈｉｎ  Ｆｉｌｍ  Ｔｒａｎｓｉｓｔｏｒ）方式、ＴＦＤ（Ｔｈｉｎ  Ｆｉｌｍ  Ｄｉｏｄｅ）方式、Ｄ−ＴＦＤ（Ｄｉｇｉｔａｌ  Ｔｈｉｎ  Ｆｉｌｍ  Ｄｉｏｄｅ）方式等が採用可能である。
低速ＣＰＵ８は、情報表示シート１全体を制御するもので、操作部３から入力される各種の操作信号に従って、低容量ＲＯＭ／ＲＡＭ６に記憶された各種処理に関するプログラムを読み出して実行することができる。また、低速ＣＰＵ８は、データ記憶部４に記憶されている文書データ４ａを記憶性表示パネル２に表示するための処理を行うことができる。そして、低速ＣＰＵ８は、各種処理結果を低容量ＲＯＭ／ＲＡＭ６に格納することができる。ここで、低速ＣＰＵ８は、記憶性表示パネル２に表示される情報の処理を自律的に行うとともに（以下、スタンドアロンモードと言う。）、低速ＣＰＵ８が自律的に処理不能な処理要求が発生した場合などに、ホスト表示処理装置２１に処理を要求することができる（以下、メディアモードと言う。）。
【００３１】
接続制御部９は、データ記憶部４、バッテリ５、低容量ＲＯＭ／ＲＡＭ６、表示駆動部７および低速ＣＰＵ８をホスト表示処理装置２１に接続したり、データ記憶部４、バッテリ５、低容量ＲＯＭ／ＲＡＭ６、表示駆動部７および低速ＣＰＵ８をホスト表示処理装置２１から切り離したりするための切り替え制御を行うことができる。
データインターフェース２２は、ホスト表示処理装置２１外部からデータを入力することが可能なインターフェースであり、例えば、通信インターフェースあるいは記憶メディアのスロット等によって構成することができる。そして、データインターフェース２２を介して入力されたデータは、ＲＡＭ２９に記憶したり、接続部１０、２８を介して情報表示シート１に送ったりすることができる。なお、データインターフェース２２が記憶メディアのスロットである場合、ＲＡＭ２９にデータを記憶することなく、スロットに差し込まれた記憶メディアから直接データを読み出して利用するようにしてもよい。
【００３２】
高速ＣＰＵ２３は、ホスト表示処理装置２１全体を制御するとともに、必要に応じて情報表示シート１を制御することができる。ここで、高速ＣＰＵ２３は、プログラム記憶部２４に記憶された各種処理に関するプログラムを読み出して実行したり、データ記憶部４に記憶されている文書データ４ａや低容量ＲＯＭ／ＲＡＭ６に記憶された各種処理に関するプログラムを読み出して実行することができる。また、高速ＣＰＵ２３は、データ記憶部４に記憶されている文書データ４ａあるいはデータインターフェース２２に差し込まれた記憶メディアに記憶されているコンテンツデータを記憶性表示パネル２に表示するための処理を行うことができる。そして、高速ＣＰＵ２３は、各種処理結果をＲＡＭ２９に格納することができる。
【００３３】
プログラム記憶部２４は、フラッシュメモリ等の不揮発性メモリによって構成することができ、ホスト表示処理装置２１を制御したり、情報表示シート１を制御したりするための各種プログラムを記憶することができる。
グラフィックアクセラレータ２５は、高速ＣＰＵ２３の命令に従って、記憶性表示パネル２に表示される画像の描画処理を高速に行うことが可能なハードウェアである。具体的には、グラフィックアクセラレータ２５は、高速ＣＰＵ２３から入力されたベクトル図形をラスタ図形に展開するなどの処理を行うことができる。そして、グラフィックアクセラレータ２５は、描画処理が行われた図形を記憶性表示パネル２に描画するための描画データを、接続部１０、２８を介して表示駆動部７に出力することができる。
【００３４】
バッテリ２６は、一次電池あるいは二次電池によって構成され、ホスト表示処理装置２１の各部に電力を供給したり、接続部１０、２８を介して情報表示シート１の各部に電力を供給したり、情報表示シート１に設けられているバッテリ５を充電したりすることができる。
ＲＡＭ２９は、データインターフェース２２から入力されたデータを記憶可能であり、高速ＣＰＵ２３が処理を実行する際のワークエリアを形成したり、その処理結果を記憶したりすることができる。なお、ＲＡＭ２９としては、低消費電力でデータを保持可能なＳＲＡＭ等が望ましく、不揮発性のＦｅＲＡＭ／ＦＲＡＭやＭＲＡＭ等がより望ましい。
【００３５】
接続制御部２７は、データインターフェース２２、高速ＣＰＵ２３、グラフィックアクセラレータ２５、バッテリ２６およびＲＡＭ２９を情報表示シート１に接続したり、データインターフェース２２、高速ＣＰＵ２３、グラフィックアクセラレータ２５、バッテリ２６およびＲＡＭ２９を情報表示シート１から切り離したりするための切り替え制御を行うことができる。
【００３６】
接続部１０は、信号バスＢ１および電源ラインＬ１をそれぞれ介して接続制御部９に接続されている。また、接続部２８は、信号バスＢ２および電源ラインＬ２をそれぞれ介して接続制御部２７に接続されている。そして、接続部１０、２８は、情報表示シート１をホスト表示処理装置２１に脱着自在に接続することができる。ここで、接続部２８は、図１に示すように、複数の接続部２８ａ〜２８ｃから構成することができ、情報表示シート１を各接続部２８ａ〜２８ｃに接続することができる
また、図１に示すように、接続部１０には、情報表示シート１の一端に沿って配置され
た溝１１を設けるとともに、接続部２８ａ〜２８ｃには、溝１１を上下から挟み込みながら、溝１１にスライド挿入可能な爪２９ａ〜２９ｃをそれぞれ設けることができる。なお、接続部１０は、モールド成形などにより情報表示シート１と一体的に形成することができる。
【００３７】
そして、情報表示シート１をホスト表示処理装置２１に接続する場合、接続部１０の溝１１を爪２９ａ〜２９ｃのいずれかにかみ合わせながら、接続部１０をスライド移動させることができる。これにより、情報表示シート１をホスト表示処理装置２１に脱着自在に接続することが可能となるとともに、情報表示シート１をホスト表示処理装置２１に安定して保持させることが可能となる。
【００３８】
また、接続部１０、２８を介して信号バスＢ１、Ｂ２を互いに接続する場合、例えば、電磁的なカップリング方法を用いることができる。そして、双方向とも、接続制御部９、２７間で信号をシリアル化して伝送することができる。また、電源ラインＬ１、Ｌ２を互いに接続する場合についても、電磁的なカップリング方法を用いることができる。そして、ホスト表示処理装置２１側の接続制御部２７で交流化し、情報表示シート１側の接続制御部９で整流することができる。もちろん、接続部１０、２８のスライド部分に複数の電極を設け、電極同士のコンタクトによって信号バスＢ１、Ｂ２を互いに接続したり、電源ラインＬ１、Ｌ２を互いに接続したりしてもよい。
【００３９】
そして、メディアモードで処理を行う場合、接続部１０、２８を互いに接続することにより、信号バスＢ１、Ｂ２を互いに接続するとともに、電源ラインＬ１、Ｌ２を互いに接続する。そして、信号バスＢ１、Ｂ２が互いに接続されると、接続制御部９は、データ記憶部４、低容量ＲＯＭ／ＲＡＭ６および表示駆動部７から、低速ＣＰＵ８およびバッテリ５を切り離す。また、接続制御部９、２７は、情報表示シート１の低速ＣＰＵ８、バッテリ、データ記憶部４、低容量ＲＯＭ／ＲＡＭ６および表示駆動部７を、ホスト表示処理装置２１の信号バスＢ２および電源ラインＬ２に接続する。
【００４０】
そして、高速ＣＰＵ２３は、情報表示シート１の信号バスＢ１および電源ラインＬ１がホスト表示処理装置２１の信号バスＢ２および電源ラインＬ２にそれぞれ接続されると、データ記憶部４および描画データ書込部７ａをアドレス空間にマッピングすることができる。また、高速ＣＰＵ２３は、データ記憶部４に記憶されている文書データ４ａを接続部１０、２８を介して読み出し、その文書データ４ａをＲＡＭ２９に記憶させることができる。
【００４１】
そして、高速ＣＰＵ２３は、操作部３からの指示に基づいて、文書データ４ａの各種処理を行ったり、データインターフェース２２を介してコンテンツデータなどを取り込んだりすることができる。そして、高速ＣＰＵ２３は、高速ＣＰＵ２３にて行われた情報処理結果をデータ記憶部４に記憶させたり、記憶性表示パネル２に表示される画像をグラフィックアクセラレータ２５に描画させたりすることができる。そして、グラフィックアクセラレータ２５にて描画データが生成されると、その描画データを描画データ書込部７ａに書き込ませることができる。そして、表示駆動部７は、描画データが描画データ書込部７ａに書き込まれると、記憶性表示パネル２のＸドライバおよびＹドライバを駆動することにより、その描画データを記憶性表示パネル２に表示させることができる。
【００４２】
また、高速ＣＰＵ２３は、データインターフェース２２を介してコンテンツデータなどを取り込むと、そのコンテンツデータなどを接続部１０、２８を介して情報表示シート１に送り、データ記憶部４に記憶させることができる。さらに、高速ＣＰＵ２３は、ホスト表示処理装置２１側で行われた処理経過６ａ（表示ページや表示に必要なデータ展開の状態など）についてのパラメータなどを情報表示シート１に送り、データ記憶部４に記憶さ
せるようにしてもよい。また、メディアモードで処理を行う場合、接続部１０、２８を介してバッテリ５を充電させるようにしてもよい。
【００４３】
一方、スタンドアロンモードで処理を行う場合、接続部１０、２８を互いに切り離すことにより、信号バスＢ１、Ｂ２を互いに切り離すとともに、電源ラインＬ１、Ｌ２を互いに切り離す。そして、信号バスＢ１、Ｂ２が互いに切り離されると、接続制御部９は、データ記憶部４、低容量ＲＯＭ／ＲＡＭ６および表示駆動部７を、低速ＣＰＵ８およびバッテリ５に接続する。
【００４４】
そして、低速ＣＰＵ８は、情報表示シート１のデータ記憶部４、低容量ＲＯＭ／ＲＡＭ６、表示駆動部７、低速ＣＰＵ８およびバッテリ５が互いに接続されると、操作部３からの指示に基づいて文書データ４ａの処理を行ったり、処理経過６ａに基づいてホスト表示処理装置２１側の処理の続きを行うことができる。そして、低速ＣＰＵ８にて描画データが生成されると、その描画データを描画データ書込部７ａに書き込むことができる。そして、表示駆動部７は、描画データが描画データ書込部７ａに書き込まれると、記憶性表示パネル２のＸドライバおよびＹドライバを駆動することにより、その描画データを記憶性表示パネル２に表示させることができる。
【００４５】
これにより、情報表示シート１自体に高性能な処理部を設けることなく、情報表示シート１単体で表示を行わせることが可能となるとともに、必要に応じて高度な情報処理をホスト表示処理装置２１に行わせることが可能となる。このため、情報表示シート１の軽薄化を可能としつつ、高度な情報処理を前提とした文書データの多様な処理にも対応させることが可能となり、情報表示シート１の取り扱い性を向上させることを可能としつつ、高度な情報処理能力を情報表示シート１に付与することができる。
【００４６】
ただし、低速ＣＰＵ８は、そのリソースや処理速度の制限により、自分で処理可能な内容が限られることがある。例えば、記憶性表示パネル２上でハイパーリンクを辿るなどの処理は、リンク先のコンテンツデータが情報表示シート１内にないなど理由により継続できないことがある。このため、低速ＣＰＵ８は、情報表示シート１側で自律的に処理不能な処理要求６ｂが発生した場合、その処理要求６ｂを低容量ＲＯＭ／ＲＡＭ６に記憶させることができる。
【００４７】
これにより、情報表示シート１を単体で動作させた際に、情報表示シート１単体で実行不能な処理を要求する操作が行われた場合においても、情報表示シート１がホスト表示処理装置２１に接続された時のタイミングに合わせて、情報表示シート１で行われた操作に対応した処理をホスト表示処理装置２１に行わせることができる。このため、情報表示シート１単体で実行不能な処理をホスト表示処理装置２１に行わせるために、情報表示シート１がホスト表示処理装置２１に常時接続されたままにする必要がなくなり、情報表示シート１の持ち運びなどの利便性を維持しつつ、高度な情報処理を前提とした文書データの多様な処理にも対応させることができる。
【００４８】
ただし、情報表示シート１側で自律的に処理不能な処理要求６ｂが発生した場合、ホスト表示処理装置２１と接続を促すメッセージなどを記憶性表示パネル２上に表示させることが好ましい。
そして、メディアモードで再度処理を行う場合、高速ＣＰＵ２３は低容量ＲＯＭ／ＲＡＭ６を参照し、低容量ＲＯＭ／ＲＡＭ６に処理要求６ｂが記憶されているかどうかを調べることができる。そして、高速ＣＰＵ２３は、低容量ＲＯＭ／ＲＡＭ６に処理要求６ｂが記憶されている場合、その処理要求６ｂに基づいて、文書データ４ａの各種処理を行ったり、データインターフェース２２を介してコンテンツデータなどを取り込んだりすることができる。そして、グラフィックアクセラレータ２５にて描画データが生成されると、そ
の描画データを描画データ書込部７ａに書き込ませることができる。そして、表示駆動部７は、描画データが描画データ書込部７ａに書き込まれると、記憶性表示パネル２のＸドライバおよびＹドライバを駆動することにより、その描画データを記憶性表示パネル２に表示させることができる。また、高速ＣＰＵ２３は、処理要求６ｂに基づいてコンテンツデータなどを取り込みむと、そのコンテンツデータなどをデータ記憶部４に記憶させることができる。
【００４９】
なお、高速ＣＰＵ２３は、低容量ＲＯＭ／ＲＡＭ６に記憶されている処理要求６ｂに基づいて処理を行う場合、その旨を記憶性表示パネル２に表示させるようにしてもよい。また、必要に応じて、ユーザによる承認を要求するようにしてもよい。
図３は、本発明の第２実施形態に係る情報表示システムの外観を示す斜視図である。
図３において、ホスト表示処理装置２１は、例えば、バインダー状に構成することができる。また、情報表示シート１、３１には、接続部１０、３４がそれぞれ一体的に取り付けられている。そして、接続部１０を介して情報表示シート１を接続部２８ａに接続するとともに、接続部３４を介して情報表示シート３１を接続部２８ｂに接続することができる。
【００５０】
これにより、複数の情報表示シート１、３１をホスト表示処理装置２１に接続することが可能となるとともに、情報表示シート１、３１を互いに重ねて取り扱うことが可能となる。このため、情報表示シート１、３１をめくりながら情報表示シート１、３１に表示された内容を見ることが可能となるとともに、紙では実現不能な情報処理を情報表示シート１、３１に行わせることが可能となる。
【００５１】
ここで、情報表示シート１、３１には必ずしも同一の機能を持たせる必要はなく、情報表示シート１、３１の種類が互いに異なっていてもよい。例えば、情報表示シート１には、画像１ａや文字１ｂなどを表示させる記憶性表示パネル２をほぼ全面に設け、情報表示シート３１には、記憶性表示パネル３２の他に、タッチパネル３３を設けるようにしてもよい。
【００５２】
これにより、様々の機能を分散させて情報表示シート１、３１に持たせることが可能となり、情報表示シート１、３１のスペースが限られている場合においても、高度な情報処理や操作性を実現させることができる。
また、タッチパネル３３と幾つかの情報表示シート１、３１を利用して、ホスト表示処理装置２１全体の情報を見ながら操作を行うことができる。例えば、各情報表示シート１、３１に格納されているコンテンツを一覧表示させたり、これらのコンテンツを情報表示シート１、３１間でコピーしたり、移動させたりすることができる。
【図面の簡単な説明】
【００５３】
【図１】第１実施形態に係る情報表示システムの外観構成を示す斜視図である。
【図２】図１の情報表示システムの概略構成を示すブロック図である。
【図３】第２実施形態に係る情報表示システムの外観を示す斜視図である。
【符号の説明】
【００５４】
１、３１  情報表示シート、１ａ  画像、１ｂ  文字、２、３２  記憶性表示パネル、３  操作部、４  データ記憶部、５、２６  バッテリ、６  低容量ＲＯＭ／ＲＡＭ、６ａ
処理経過、６ｂ  処理要求、７  表示駆動部、７ａ  描画データ書込部、８  低速ＣＰＵ、９、２７  接続制御部、１０、２８、２８ａ〜２８ｃ、３４  接続部、２９ａ〜２９ｃ  爪、１１  溝、２１  ホスト表示処理装置、２２  データインターフェース、２３  高速ＣＰＵ、２４  プログラム記憶部、２５  グラフィックアクセラレータ、２９  ＲＡＭ、Ｂ１、Ｂ２  信号バス、Ｌ１、Ｌ２  電源ライン、３３  タッチパネル
【図１】
2008293015.tif 000003
【図２】
2008293015.tif 000004
【図３】
2008293015.tif 000005
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
情報の表示を行う表示体と、表示情報の処理を自律的に行う自律処理手段と、自律処理が不能の場合に他律的な処理に委ねるための処理要求を記憶する他律処理手段とを有する情報表示シートと、
前記処理要求を実行するホスト表示処理装置と、
前記情報表示シートと前記ホスト表示処理装置とを脱着自在に接続し互いに通信可能な接続部とを備え、
前記ホスト表示処理装置は、前記接続部により前記情報表示シートとの接続がされた場合、前記情報表示シートの前記他律処理手段に記憶されている前記処理要求を読み出し、前記処理要求に基づく処理を実行することを特徴とする情報表示システム。
【請求項２】
前記情報表示シートは、自律的に処理不能な処理要求が発生した時に、前記ホスト表示処理装置との接続を促す表示を行うことを特徴とする請求項１記載の情報表示システム。
【請求項３】
前記接続部は、種類の異なる複数の情報表示シートを接続可能であることを特徴とする請求項１または２記載の情報表示システム。
【手続補正３】
【補正対象書類名】明細書
【補正対象項目名】０００１
【補正方法】変更
【補正の内容】
【０００１】
本発明は情報表示システムに関し、特に、電子ペーパーなどの情報表示シートに適用して好適なものである。
【手続補正４】
【補正対象書類名】明細書
【補正対象項目名】０００５
【補正方法】変更
【補正の内容】
【０００５】
一方、高度で多様な処理能力を電子ペーパーに持たせると、高性能な処理部やこれに見合った電力を供給できる電源が必要となる。このため、電子ペーパーの軽薄化の妨げになるだけでなく、紙のように多数の頁を同時に参照するような使い方ができなくなるという問題があった。
そこで、本発明の目的は、表示体の取り扱い性を向上させることを可能としつつ、高度な情報処理能力を付与することが可能な情報表示システムを提供することである。
【手続補正５】
【補正対象書類名】明細書
【補正対象項目名】００４８
【補正方法】変更
【補正の内容】
【００４８】
ただし、情報表示シート１側で自律的に処理不能な処理要求６ｂが発生した場合、ホスト表示処理装置２１と接続を促すメッセージなどを記憶性表示パネル２上に表示させることが好ましい。
そして、メディアモードで再度処理を行う場合、高速ＣＰＵ２３は低容量ＲＯＭ／ＲＡＭ６を参照し、低容量ＲＯＭ／ＲＡＭ６に処理要求６ｂが記憶されているかどうかを調べることができる。そして、高速ＣＰＵ２３は、低容量ＲＯＭ／ＲＡＭ６に処理要求６ｂが記憶されている場合、その処理要求６ｂに基づいて、文書データ４ａの各種処理を行ったり、データインターフェース２２を介してコンテンツデータなどを取り込んだりすることができる。そして、グラフィックアクセラレータ２５にて描画データが生成されると、その描画データを描画データ書込部７ａに書き込ませることができる。そして、表示駆動部７は、描画データが描画データ書込部７ａに書き込まれると、記憶性表示パネル２のＸドライバおよびＹドライバを駆動することにより、その描画データを記憶性表示パネル２に表示させることができる。また、高速ＣＰＵ２３は、処理要求６ｂに基づいてコンテンツデータなどを取り込むと、そのコンテンツデータなどをデータ記憶部４に記憶させることができる。